(57)【要約】【課題】ＰＣレスプレゼンテーションの使い勝手をより向上させることが可能なプロジェクター等を提供すること。【解決手段】プロジェクター１００が、操作情報生成部１１０と、マイク音声情報生成部１２０と、データ生成部１４０と、インターフェイス部１３０を含み、データ生成部１４０が、マイク音声情報に基づき、マイク音声を示す録音データを生成し、操作情報に基づき、前記録音データおよび第１のプレゼンテーションデータ２１０に含まれる画像データの再生に関する第２の制御データを生成するとともに、前記画像データ、前記録音データおよび前記第２の制御データを含む第２のプレゼンテーションデータ２２０を生成し、インターフェイス部１３０が、第１のプレゼンテーションデータ２１０を読み出すとともに、第２のプレゼンテーションデータ２２０をＵＳＢメモリー２００に書き込む。【選択図】図１
2010097535.tif 000002
【特許請求の範囲】
【請求項１】
第１のプレゼンテーションデータに対する操作内容を示す操作情報を生成する操作情報生成部と、
プレゼンテーションにおけるマイク音声を示すマイク音声情報を生成するマイク音声情報生成部と、
前記マイク音声情報に基づき、前記マイク音声を示す録音データを生成し、前記操作情報に基づき、前記録音データおよび前記第１のプレゼンテーションデータに含まれる画像データの再生に関する第２の制御データを生成するとともに、前記画像データ、前記録音データおよび前記第２の制御データを含む第２のプレゼンテーションデータを生成するデータ生成部と、
前記第１のプレゼンテーションデータを記憶した携帯型情報記憶媒体に前記第２のプレゼンテーションデータを書き込むインターフェイス部と、を有するプロジェクター。
【請求項２】
第１の制御データを含むプレゼンテーションデータに対する操作内容を示す操作情報を生成する操作情報生成部と、
プレゼンテーションにおけるマイク音声を示すマイク音声情報を生成するマイク音声情報生成部と、
前記マイク音声情報に基づき、前記マイク音声を示す録音データを生成するとともに、前記操作情報に基づき、前記画像データおよび前記録音データの再生に関する第２の制御データを生成するデータ生成部と、
前記プレゼンテーションデータを記憶した携帯型情報記憶媒体から前記プレゼンテーションデータを読み出し、前記録音データを前記プレゼンテーションデータの一部として前記携帯型情報記憶媒体に書き込むとともに、前記第２の制御データを前記第１の制御データとして前記携帯型情報記憶媒体に書き込むインターフェイス部と、を有するプロジェクター。
【請求項３】
請求項１、２のいずれかに記載のプロジェクターにおいて、
画像生成部と、
音声生成部と、を有し、
前記インターフェイス部は、前記携帯型情報記憶媒体から更新された前記画像データ、前記録音データおよび前記第２の制御データを読み出し、
前記画像生成部は、前記画像データおよび前記第２の制御データに基づき、前記操作内容に応じた画像を生成し、
前記音声生成部は、前記録音データおよび前記第２の制御データに基づき、前記マイク音声を生成する、
プロジェクター。
【請求項４】
請求項１〜３のいずれかに記載のプロジェクターにおいて、
前記データ生成部は、前記プレゼンテーションの経過時間に関するデータを、前記操作情報と関連付けて前記第２の制御データの一部として生成する、
プロジェクター。
【請求項５】
プロジェクターの有するコンピューターにより読み取り可能なプログラムであって、
前記コンピューターに、
携帯型情報記憶媒体に記憶された第１のプレゼンテーションデータに含まれる画像データおよび第１の制御データに基づき、画像を生成して投写するステップと、
前記第１のプレゼンテーションデータに対する操作内容を示す操作情報を入力するステップと、
前記プレゼンテーションにおけるマイク音声を示すマイク音声情報を入力するステップと、
前記マイク音声情報に基づき、録音データを生成するステップと、
前記操作情報と、前記マイク音声情報とに基づき、前記操作内容に応じた画像および前記マイク音声の再生制御用の第２の制御データを生成するステップと、
前記画像データと、前記録音データと、前記第２の制御データとを含む第２のプレゼンテーションデータを前記携帯型情報記憶媒体に書き込むステップと、を実行させるプログラム。
【請求項６】
プロジェクターの有するコンピューターにより読み取り可能なプログラムであって、
前記コンピューターに、
携帯型情報記憶媒体に記憶されたプレゼンテーションデータに含まれる画像データおよび当該画像データの再生に関する第１の制御データに基づき、画像を生成して投写するステップと、
前記プレゼンテーションデータに対する操作内容を示す操作情報を入力するステップと、
前記プレゼンテーションにおけるマイク音声を示すマイク音声情報を入力するステップと、
前記マイク音声情報に基づき、録音データを生成するステップと、
前記操作情報と、前記マイク音声情報とに基づき、前記操作内容に応じた画像および前記マイク音声の再生制御用の第２の制御データを生成するステップと、
前記録音データを前記プレゼンテーションデータの一部として前記携帯型情報記憶媒体に書き込むステップと、
前記第２の制御データを前記第１の制御データとして前記携帯型情報記憶媒体に書き込むステップと、を実行させるプログラム。
【請求項７】
請求項５、６のいずれかに記載のプログラムを記憶した、
情報記憶媒体。
【請求項８】
プロジェクターにおけるプレゼンテーションに関するデータ処理方法であって、
前記プロジェクターは、
携帯型情報記憶媒体に記憶された第１のプレゼンテーションデータに含まれる画像データおよび第１の制御データに基づき、画像を生成して投写し、
前記第１のプレゼンテーションデータに対する操作内容を示す操作情報を入力し、
前記プレゼンテーションにおけるマイク音声を示すマイク音声情報を入力し、
前記マイク音声情報に基づき、録音データを生成し、
前記操作情報と、前記マイク音声情報とに基づき、前記操作内容に応じた画像および前記マイク音声の再生制御用の第２の制御データを生成し、
前記画像データと、前記録音データと、前記第２の制御データとを含む第２のプレゼンテーションデータを前記携帯型情報記憶媒体に書き込む、
データ処理方法。
【請求項９】
プロジェクターにおけるプレゼンテーションに関するデータ処理方法であって、
前記プロジェクターは、
携帯型情報記憶媒体に記憶されたプレゼンテーションデータに含まれる画像データおよび当該画像データの再生に関する第１の制御データに基づき、画像を生成して投写し、
前記プレゼンテーションデータに対する操作内容を示す操作情報を入力し、
前記プレゼンテーションにおけるマイク音声を示すマイク音声情報を入力し、
前記マイク音声情報に基づき、録音データを生成し、
前記操作情報と、前記マイク音声情報とに基づき、前記操作内容に応じた画像および前記マイク音声の再生制御用の第２の制御データを生成し、
前記録音データを前記プレゼンテーションデータの一部として前記携帯型情報記憶媒体に書き込み、
前記第２の制御データを前記第１の制御データとして前記携帯型情報記憶媒体に書き込む、
データ処理方法。
【発明の詳細な説明】
【技術分野】
【０００１】
本発明は、プロジェクター、プログラム、情報記憶媒体およびデータ処理方法に関する。
【背景技術】
【０００２】
特開２００５−８４６５２号公報では、外付メモリーからプレゼンテーションソフトのデータを読み出し、当該データに基づいて画像を投写することが記載されている。これは、いわゆるＰＣレスプレゼンテーションの手法である。一般的なＰＣレスプレゼンテーションの手順は以下のとおりである。
【０００３】
まず、ユーザーは、ＰＣ(Personal Computer)とプロジェクター用のデータ変換ソフトウェアを用いて、ＰＣ用のプレゼンテーションソフトウェアで作成したデータをプロジェクターで再生可能なプレゼンテーション用データに変換する。ユーザーは、変換したデータを、ＰＣからＵＳＢメモリー等のストレージメディアに書き込み、当該ストレージメディアをプロジェクターに接続する。さらに、ユーザーは、プロジェクターのキー操作によって当該ストレージメディアからプレゼンテーション用データをプロジェクターに入力して画像を投写する。
【特許文献１】特開２００５−８４６５２号公報
【発明の開示】
【発明が解決しようとする課題】
【０００４】
しかし、一般的なプロジェクターでは、このようなプレゼンテーション用データの再生しか考慮されておらず、プレゼンターは、毎回同じキー操作と発言を繰り返す必要がある。また、ユーザーは、プレゼンテーション用データを生成するためにはＰＣを用いなければならず、一般的なプロジェクターは、ＰＣレスプレゼンテーションの目的への適合が不十分であった。このように、プロジェクターを用いたＰＣレスプレゼンテーションは使い勝手が不十分なものであった。
【０００５】
本発明の目的は、ＰＣレスプレゼンテーションの使い勝手をより向上させることが可能なプロジェクター、プログラム、情報記憶媒体およびデータ処理方法を提供することにある。
【課題を解決するための手段】
【０００６】
上記課題を解決するため、本発明に係るプロジェクターは、第１のプレゼンテーションデータに対する操作内容を示す操作情報を生成する操作情報生成部と、プレゼンテーションにおけるマイク音声を示すマイク音声情報を生成するマイク音声情報生成部と、前記マイク音声情報に基づき、前記マイク音声を示す録音データを生成し、前記操作情報に基づき、前記録音データおよび前記第１のプレゼンテーションデータに含まれる画像データの再生に関する第２の制御データを生成するとともに、前記画像データ、前記録音データおよび前記第２の制御データを含む第２のプレゼンテーションデータを生成するデータ生成部と、前記第１のプレゼンテーションデータを記憶した携帯型情報記憶媒体に前記第２のプレゼンテーションデータを書き込むインターフェイス部と、を有することを特徴とする。
【０００７】
また、本発明に係るプログラムは、前記コンピューターに、携帯型情報記憶媒体に記憶された第１のプレゼンテーションデータに含まれる画像データおよび第１の制御データに基づき、画像を生成して投写するステップと、前記第１のプレゼンテーションデータに対する操作内容を示す操作情報を入力するステップと、前記プレゼンテーションにおけるマイク音声を示すマイク音声情報を入力するステップと、前記マイク音声情報に基づき、録音データを生成するステップと、前記操作情報と、前記マイク音声情報とに基づき、前記操作内容に応じた画像および前記マイク音声の再生制御用の第２の制御データを生成するステップと、前記画像データと、前記録音データと、前記第２の制御データとを含む第２のプレゼンテーションデータを前記携帯型情報記憶媒体に書き込むステップと、を実行させることを特徴とする。
【０００８】
また、本発明に係る情報記憶媒体は、上記プログラムを記憶したことを特徴とする。
【０００９】
また、本発明に係るデータ処理方法は、プロジェクターにおけるプレゼンテーションに関するデータ処理方法であって、前記プロジェクターは、携帯型情報記憶媒体に記憶された第１のプレゼンテーションデータに含まれる画像データおよび第１の制御データに基づき、画像を生成して投写し、前記第１のプレゼンテーションデータに対する操作内容を示す操作情報を入力し、前記プレゼンテーションにおけるマイク音声を示すマイク音声情報を入力し、前記マイク音声情報に基づき、録音データを生成し、前記操作情報と、前記マイク音声情報とに基づき、前記操作内容に応じた画像および前記マイク音声の再生制御用の第２の制御データを生成し、前記画像データと、前記録音データと、前記第２の制御データとを含む第２のプレゼンテーションデータを前記携帯型情報記憶媒体に書き込むことを特徴とする。
【００１０】
本発明によれば、プロジェクターは、第２のプレゼンテーションデータを携帯型情報記憶媒体に書き込むことにより、第２のプレゼンテーションデータを読み出してプレゼンテーションを再現することができる。これにより、プロジェクターは、ＰＣレスプレゼンテーションの使い勝手をより向上させることができる。
【００１１】
また、本発明に係るプロジェクターは、第１の制御データを含むプレゼンテーションデータに対する操作内容を示す操作情報を生成する操作情報生成部と、プレゼンテーションにおけるマイク音声を示すマイク音声情報を生成するマイク音声情報生成部と、前記マイク音声情報に基づき、前記マイク音声を示す録音データを生成するとともに、前記操作情報に基づき、前記画像データおよび前記録音データの再生に関する第２の制御データを生成するデータ生成部と、前記プレゼンテーションデータを記憶した携帯型情報記憶媒体から前記プレゼンテーションデータを読み出し、前記録音データを前記プレゼンテーションデータの一部として前記携帯型情報記憶媒体に書き込むとともに、前記第２の制御データを前記第１の制御データとして前記携帯型情報記憶媒体に書き込むインターフェイス部と、を有することを特徴とする。
【００１２】
また、本発明に係るプログラムは、プロジェクターの有するコンピューターにより読み取り可能なプログラムであって、前記コンピューターに、携帯型情報記憶媒体に記憶されたプレゼンテーションデータに含まれる画像データおよび当該画像データの再生に関する第１の制御データに基づき、画像を生成して投写するステップと、前記プレゼンテーションデータに対する操作内容を示す操作情報を入力するステップと、前記プレゼンテーションにおけるマイク音声を示すマイク音声情報を入力するステップと、前記マイク音声情報に基づき、録音データを生成するステップと、前記操作情報と、前記マイク音声情報とに基づき、前記操作内容に応じた画像および前記マイク音声の再生制御用の第２の制御データを生成するステップと、前記録音データを前記プレゼンテーションデータの一部として前記携帯型情報記憶媒体に書き込むステップと、前記第２の制御データを前記第１の制御データとして前記携帯型情報記憶媒体に書き込むステップと、を実行させることを特徴とする。
【００１３】
また、本発明に係る情報記憶媒体は、上記プログラムを記憶したことを特徴とする。。
【００１４】
また、本発明に係るデータ処理方法は、プロジェクターにおけるプレゼンテーションに関するデータ処理方法であって、前記プロジェクターは、携帯型情報記憶媒体に記憶されたプレゼンテーションデータに含まれる画像データおよび当該画像データの再生に関する第１の制御データに基づき、画像を生成して投写し、前記プレゼンテーションデータに対する操作内容を示す操作情報を入力し、前記プレゼンテーションにおけるマイク音声を示すマイク音声情報を入力し、前記マイク音声情報に基づき、録音データを生成し、前記操作情報と、前記マイク音声情報とに基づき、前記操作内容に応じた画像および前記マイク音声の再生制御用の第２の制御データを生成し、前記録音データを前記プレゼンテーションデータの一部として前記携帯型情報記憶媒体に書き込み、前記第２の制御データを前記第１の制御データとして前記携帯型情報記憶媒体に書き込むことを特徴とする。
【００１５】
本発明によれば、プロジェクターは、元の制御データを更新し、録音データをプレゼンテーションデータに追加することにより、プレゼンテーションデータを読み出してプレゼンテーションを再現することができる。これにより、プロジェクターは、ＰＣレスプレゼンテーションの使い勝手をより向上させることができる。
【００１６】
また、前記プロジェクターは、画像生成部と、音声生成部と、を含み、前記インターフェイス部は、更新された前記携帯型情報記憶媒体から前記画像データ、前記録音データおよび前記第２の制御データを読み出し、前記画像生成部は、前記画像データおよび前記第２の制御データに基づき、前記操作内容に応じた画像を生成し、前記音声生成部は、前記録音データおよび前記第２の制御データに基づき、前記マイク音声を生成してもよい。
【００１７】
これによれば、プロジェクターは、プレゼンテーション時の画像と音声を再現することができる。
【００１８】
また、前記データ生成部は、前記プレゼンテーションの経過時間に関するデータを、前記操作情報と関連付けて前記第２の制御データの一部として生成してもよい。
【００１９】
これによれば、プロジェクターは、経過時間ごとの操作を適切に再現することができる。
【発明を実施するための最良の形態】
【００２０】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、第１の実施例におけるプロジェクター１００の機能ブロック図である。プロジェクター１００は、携帯型情報記憶媒体の一種であるＵＳＢメモリー２００に対してデータの読み書きを行う。ＵＳＢメモリー２００には、初期状態で第１のプレゼンテーションデータ２１０が記憶され、プレゼンテーションが行われた後にプロジェクター１００によってプレゼンテーション再現用の第２のプレゼンテーションデータ２２０が記憶される。
【００２２】
プロジェクター１００は、ボタンやリモートコントローラー等による操作を示す操作情報を生成する操作情報生成部１１０と、マイク音声を示すマイク音声情報を生成するマイク音声情報生成部１２０と、ＵＳＢメモリー２００に対するデータの読み書きを行うインターフェイス部１３０と、操作情報に基づく第２の制御データ、マイク音声情報に基づく録音データを生成するデータ生成部１４０を含んで構成されている。
【００２３】
また、プロジェクター１００は、第２の制御データ、録音データ等を記憶する記憶部１５０と、第１のプレゼンテーションデータ２１０等に含まれる画像データに基づく画像を生成する画像生成部１６０と、当該画像を投写する投写部１７０と、第１のプレゼンテーションデータ２１０等に含まれる音声データに基づく音声を生成する音声生成部１８０と、当該音声を出力する音声出力部１９０を含んで構成されている。
【００２４】
なお、プロジェクター１００は、これらの各部の機能を、以下のハードウェアを用いて実装してもよい。例えば、プロジェクター１００は、操作情報生成部１１０は赤外通信ユニット等、マイク音声情報生成部１２０はマイク入力端子、Ａ／Ｄコンバーター、アンプ等、インターフェイス部１３０はＵＳＢインターフェイス等、データ生成部１４０はＣＰＵ等、記憶部１５０はＲＡＭ等、画像生成部１６０は画像処理回路等、投写部１７０はランプ、液晶パネル、液晶駆動回路、レンズ等、音声生成部１８０は音声処理回路、Ｄ／Ａコンバーター等、音声出力部１９０はスピーカー等を用いて実装してもよい。
【００２５】
また、プロジェクター１００は、データ生成部１４０等の機能を情報記憶媒体３００に記憶されたプログラムを読み取って実装してもよい。このような情報記憶媒体３００としては、例えば、ＣＤ−ＲＯＭ、ＤＶＤ−ＲＯＭ、ＲＯＭ、ＲＡＭ、ＨＤＤ等を適用できる。
【００２６】
ここで、第１のプレゼンテーションデータ２１０と第２のプレゼンテーションデータ２２０についてより詳細に説明する。図２は、第１の実施例における第１のプレゼンテーションデータ２１０の一例を示す図である。また、図３は、第１の実施例における第２のプレゼンテーションデータ２２０の一例を示す図である。
【００２７】
第１のプレゼンテーションデータ２１０は、画像ファイルＡ、画像ファイルＢ等を含む画像データ２１２、音声ファイルＡ等を含む音声データ２１３、画像ファイルの表示開始、表示位置、エフェクト、音声ファイルの出力開始、キー入力待ち、待ち時間（例えば、２秒間待ち等）等を示す第１の制御データ２１１を含む。
【００２８】
また、第２のプレゼンテーションデータ２２０は、画像データ２１２、音声データ２１３、プレゼンテーション中の会話等を示す音声ファイルＢを含む録音データ２２２、第１の制御データ２１１と同様の第２の制御データ２２１を含む。
【００２９】
第１の制御データ２１１と第２の制御データ２２１を比較すればわかるように、第２の制御データ２２１では録音データ２２２の出力開始を示すデータが追加され、「キー入力待ち」に代えて「３０秒間待ち」が適用されている。このようなデータ構成を採用することにより、プロジェクター１００は、第２のプレゼンテーションデータ２２０を用いて前回のプレゼンテーション中のプレゼンターの発言等を再現し、プレゼンターのキー操作を待たずに次の画像ファイルを自動的に表示することができる。
【００３０】
ここで、第２のプレゼンテーションデータ２２０の書き込み時の処理の流れについて説明する。図４は、第１の実施例における第２のプレゼンテーションデータ２２０の書き込み時の処理の流れを示すフローチャートである。
【００３１】
プレゼンターは、初回のプレゼンテーション時には、第１のプレゼンテーションデータ２１０を用いて画像の表示等を行うとともに、キー操作等を行ってプレゼンテーションを行う。また、プレゼンターは、プレゼンテーションの再現を行うため、キー操作や音声等を第２のプレゼンテーションデータ２２０としてＵＳＢメモリー２００に記録する。
【００３２】
初回のプレゼンテーション開始時にＵＳＢメモリー２００がプロジェクター１００に差し込まれた場合、インターフェイス部１３０は、第１のプレゼンテーションデータ２１０をＵＳＢメモリー２００から読み出して記憶部１５０に記憶する（ステップＳ１）。なお、データ生成部１４０は、プレゼンテーションの開始時（例えば、最初の画像の生成時等）にＣＰＵのタイマーをリセットして経過時間を把握する。
【００３３】
画像生成部１６０は、第１のプレゼンテーションデータ２１０に含まれる第１の制御データ２１１および画像データ２１２に基づき、画像を生成し、投写部１７０は当該画像を投写する（ステップＳ２）。例えば、図２に示す第１の制御データ２１１の例では、画像生成部１６０は、まず、画像ファイルＡに基づく画像を生成する。
【００３４】
音声生成部１８０は、第１のプレゼンテーションデータ２１０に含まれる第１の制御データ２１１および音声データ２１３に基づき、音声を生成し、音声出力部１９０は当該音声を出力する（ステップＳ３）。例えば、図２に示す第１の制御データ２１１の例では、音声生成部１８０は、まず、音声ファイルＡに基づく音声を生成する。
【００３５】
データ生成部１４０は、初回のデータ生成時かどうかを判定し（ステップＳ４）、初回のデータ生成時の場合、マイク音声情報生成部１２０からのマイク音声情報に基づく録音データ２２２の生成を開始するとともに（ステップＳ５）、録音データ２２２に関する第２の制御データ２２１を生成する（ステップＳ６）。データ生成部１４０は、これらのデータを記憶部１５０に記憶していく。
【００３６】
データ生成部１４０は、操作情報生成部１１０からの操作情報に基づき、ページ送り操作等の操作があったかどうかを判定する（ステップＳ７）。操作があった場合、データ生成部１４０は、操作情報に基づき、第２の制御データ２２１を生成し（ステップＳ８）、記憶部１５０に記憶する。例えば、データ生成部１４０は、ＣＰＵのタイマーを用いて画像ファイルＡに基づく画像が生成されてから画像ファイルＢの表示指示があるまでの時間を把握し、当該時間が３０秒であった場合、第２の制御データ２２１に「３０秒間待ち」といった待ち時間を示す制御情報と、「画像ファイルＢの表示開始」といった表示対象の画像を示す制御情報を追加する。
【００３７】
プロジェクター１００は、操作情報に基づき、プレゼンテーションの終了指示があったかどうかを判定する（ステップＳ９）。終了指示があった場合、データ生成部１４０は、記憶部１５０に第２のプレゼンテーションデータ２２０を生成し、インターフェイス部１３０は、第２のプレゼンテーションデータ２２０をＵＳＢメモリー２００に書き込む（ステップＳ１０）。
【００３８】
なお、終了指示がなかった場合、プロジェクター１００は、ステップＳ２〜Ｓ９の処理を続行する。
【００３９】
次に、第２のプレゼンテーションデータ２２０の読み出し時の処理の流れについて説明する。図５は、第１の実施例における第２のプレゼンテーションデータ２２０の読み出し時の処理の流れを示すフローチャートである。
【００４０】
例えば、プレゼンターは、第２のプレゼンテーションデータ２２０が記憶されたＵＳＢメモリー２００をプレゼンテーション会場に持って行き、プレゼンテーション会場に設置されたプロジェクター１００にＵＳＢメモリー２００を差し込んでプレゼンテーションを行う。
【００４１】
インターフェイス部１３０は、ＵＳＢメモリー２００が差し込まれた場合に第２のプレゼンテーションデータ２２０がＵＳＢメモリー２００に記憶されていると、第２のプレゼンテーションデータ２２０を読み出して記憶部１５０に記憶する（ステップＳ１１）。
【００４２】
画像生成部１６０は、第２のプレゼンテーションデータ２２０に含まれる第２の制御データ２２１および画像データ２１２に基づき、画像を生成し、投写部１７０は当該画像を投写する（ステップＳ１２）。
【００４３】
音声生成部１８０は、第２のプレゼンテーションデータ２２０に含まれる第２の制御データ２２１、音声データ２１３および録音データ２２２に基づき、音声を生成し、音声出力部１９０は当該音声を出力する。例えば、図２に示す第１の制御データ２１１の例では、音声生成部１８０は、音声ファイルＡ（音声データ２１３）に基づく音声を生成するとともに、音声ファイルＢ（録音データ２２２）に基づく音声を生成する。
【００４４】
プロジェクター１００は、第２の制御データ２２１に含まれる終了指示を示すデータが画像生成部１６０等によって読み取られたかどうかによってステップＳ１２、Ｓ１３の処理を終了すべきかどうかを判定する（ステップＳ１４）。
【００４５】
以上のように、本実施例によれば、プロジェクター１００は、第２のプレゼンテーションデータ２２０をＵＳＢメモリー２００に書き込むことにより、第２のプレゼンテーションデータ２２０を読み出してプレゼンテーションを再現することができる。
【００４６】
これにより、プレゼンターは、２回目以降は発言したり、ページ送り操作等を行ったりする必要がないため、同じ内容で繰り返しプレゼンテーションを行う場合の手間を軽減することができる上、プロジェクター１００を音声レコーダーとして使用することもできる。したがって、プロジェクター１００は、ＰＣレスプレゼンテーションの使い勝手をより向上させることができる。
【００４７】
また、第２のプレゼンテーションデータ２２０は、プレゼンテーション時の操作内容や発言内容を反映したものであるため、プロジェクター１００は、プレゼンテーション時の画像と音声を再現することができる。
【００４８】
また、音声データ２１３も録音データ２２２もプレゼンテーションの開始直後に出力される音声であり、画像に付加されたナレーション音声とプレゼンターの音声が適切に同期するため、プレゼンターは、２回目以降は発言することなく快適にプレゼンテーションを行うことができる。
【００４９】
また、本実施例によれば、データ生成部１４０が、プレゼンテーションの経過時間に関するデータを、操作情報と関連付けて第２の制御データ２２１の一部として生成することにより、プロジェクター１００は、経過時間ごとの操作を適切に再現することができる。
【００５０】
（第２の実施例）
第１の実施例では、プロジェクター１００は、第１のプレゼンテーションデータ２１０とは別に第２のプレゼンテーションデータ２２０を生成したが、元のプレゼンテーションデータをプレゼンテーションごとに更新してもよい。
【００５１】
図６は、第２の実施例におけるプロジェクター１０１の機能ブロック図である。プロジェクター１０１は、プロジェクター１００と同様の構成であるが、データ生成部１４１が更新用の第２の制御データを生成し、記憶部１５１が当該第２の制御データを記憶し、インターフェイス部１３１が、プレゼンテーションデータ２３０内の第１の制御データを第２の制御データで書き換え、プレゼンテーションデータ２３０内の音声データに録音データを追加する点でプロジェクター１００と相違している。なお、プロジェクター１０１は、情報記憶媒体３０１に記憶されたプログラムを読み取ってこれらの機能を実装してもよい。
【００５２】
図７は、第２の実施例におけるプレゼンテーションデータ２３０の一例を示す図である。ＵＳＢメモリー２０１は、プレゼンテーションデータ２３０を記憶している。プレゼンテーションデータ２３０は、第１の制御データ２３１、画像データ２３２、音声データ２３３を記憶している。なお、図７に示すプレゼンテーションデータ２３０は、プレゼンテーション実行後の状態を示す。
【００５３】
次に、第２の実施例における処理の流れについて説明する。図８は、第２の実施例における処理の流れを示すフローチャートである。
【００５４】
ＵＳＢメモリー２０１がプロジェクター１０１に差し込まれた場合、インターフェイス部１３１は、プレゼンテーションデータ２３０をＵＳＢメモリー２０１から読み出して記憶部１５１に記憶する（ステップＳ２１）。
【００５５】
画像生成部１６０は、プレゼンテーションデータ２３０に含まれる第１の制御データ２３１および画像データ２３２に基づき、画像を生成し、投写部１７０は当該画像を投写する（ステップＳ２２）。
【００５６】
音声生成部１８０は、プレゼンテーションデータ２３０に含まれる第１の制御データ２３１および音声データ２３３に基づき、音声を生成し、音声出力部１９０は当該音声を出力する（ステップＳ２３）。
【００５７】
データ生成部１４１は、初回のデータ生成時かどうかを判定し（ステップＳ２４）、初回のデータ生成時の場合、マイク音声情報生成部１２０からのマイク音声情報に基づく録音データの生成を開始するとともに（ステップＳ２５）、録音データに関する第２の制御データを生成する（ステップＳ２６）。データ生成部１４１は、これらのデータを記憶部１５１に記憶していく。
【００５８】
データ生成部１４１は、操作情報生成部１１０からの操作情報に基づき、ページ送り操作等の操作があったかどうかを判定する（ステップＳ２７）。操作があった場合、データ生成部１４１は、操作情報に基づき、第２の制御データを生成し（ステップＳ２８）、記憶部１５１に記憶する。例えば、データ生成部１４１は、ＣＰＵのタイマーを用いて画像ファイルＡに基づく画像が生成されてから画像ファイルＢの表示指示があるまでの時間を把握し、当該時間が３０秒であった場合、第２の制御データに「３０秒間待ち」といった待ち時間を示す制御情報と、「画像ファイルＢの表示開始」といった表示対象の画像を示す制御情報を追加する。
【００５９】
プロジェクター１０１は、操作情報に基づき、プレゼンテーションの終了指示があったかどうかを判定する（ステップＳ２９）。終了指示があった場合、インターフェイス部１３１は、記憶部１５１内の録音データをＵＳＢメモリー２０１内の音声データ２３３に追加し（ステップＳ３０）、記憶部１５１内の第２の制御データを、ＵＳＢメモリー２０１内の第１の制御データ２３１としてＵＳＢメモリー２０１に書き込む（ステップＳ３１）。
【００６０】
なお、終了指示がなかった場合、プロジェクター１０１は、ステップＳ２２〜Ｓ２９の処理を続行する。
【００６１】
以上のように、本実施例によれば、プロジェクター１０１は、第１の実施例と同様の作用効果を奏する。また、本実施例によれば、プロジェクター１０１は、元の第１の制御データ２３１を更新し、録音データをプレゼンテーションデータ２３０に追加することにより、プレゼンテーションデータ２３０を読み出してプレゼンテーションを再現することができる。これにより、プロジェクター１０１は、ＰＣレスプレゼンテーションの使い勝手をより向上させることができる。
【００６２】
また、本実施例によれば、プロジェクター１０１は、１つのプレゼンテーションデータ２３０のみを用いるため、第１の実施例と比べてＵＳＢメモリー２０１および記憶部１５１における必要な記憶容量が少なくて済む。
【００６３】
（その他の実施例）
なお、本発明の適用は上述した実施例に限定されず、種々の変形が可能である。例えば、プロジェクター１００、１０１は、プレゼンテーションの開始時にプレゼンテーションの記録を行うかどうかを選択させる選択画像を投写し、記録を行う選択が行われた場合のみ制御データや録音データの生成を行ってもよい。
【００６４】
また、操作情報生成部１１０は赤外通信ユニット等には限定されず、操作ボタン等であってもよい。また、マイク音声情報生成部１２０はマイク入力端子には限定されず、マイクであってもよい。すなわち、プロジェクター１００、１０１は、外付けのマイクからの音声を用いてもよいし、内蔵のマイクからの音声を用いてもよい。
【００６５】
また、プロジェクター１００、１０１は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。また、プロジェクター１００、１０１の機能を複数の装置に分散して実装してもよい。
【００６６】
また、携帯型情報記憶媒体は、ＵＳＢメモリー２００、２０１には限定されず、例えば、カード型メモリー、スティック型メモリー、書き換え可能ディスク、携帯型ＨＤＤ等の持ち運び可能な種々の情報記憶媒体を適用可能である。
【図面の簡単な説明】
【００６７】
【図１】第１の実施例におけるプロジェクターの機能ブロック図である。
【図２】第１の実施例における第１のプレゼンテーションデータの一例を示す図である。
【図３】第１の実施例における第２のプレゼンテーションデータの一例を示す図である。
【図４】第１の実施例における第２のプレゼンテーションデータの書き込み時の処理の流れを示すフローチャートである。
【図５】第１の実施例における第２のプレゼンテーションデータの読み出し時の処理の流れを示すフローチャートである。
【図６】第２の実施例におけるプロジェクターの機能ブロック図である。
【図７】第２の実施例におけるプレゼンテーションデータの一例を示す図である。
【図８】第２の実施例における処理の流れを示すフローチャートである。
【符号の説明】
【００６８】
１００、１０１  プロジェクター、１１０  操作情報生成部、１２０  マイク音声情報生成部、１３０、１３１  インターフェイス部、１４０、１４１  データ生成部、１５０、１５１  記憶部、１６０  画像生成部、１７０  投写部、１８０  音声生成部、１９０  音声出力部、２００、２０１  ＵＳＢメモリー、２１０  第１のプレゼンテーションデータ、２１１  第１の制御データ、２１２、２３２  画像データ、２１３、２３３  音声データ、２２０  第２のプレゼンテーションデータ、２２１  第２の制御データ、２２２  録音データ、２３０  プレゼンテーションデータ、２３１  第１の制御データ、３００、３０１  情報記憶媒体
【図１】
2010097535.tif 000003
【図２】
2010097535.tif 000004
【図３】
2010097535.tif 000005
【図４】
2010097535.tif 000006
【図５】
2010097535.tif 000007
【図６】
2010097535.tif 000008
【図７】
2010097535.tif 000009
【図８】
2010097535.tif 000010